(57)【要約】【課題】  プログラムに従ってＬＥＤを発光させ、透光性の鳴子本体によって全体に導光することによって、幻想的なイルミネーション効果が提示できる鳴子を提供する。【解決手段】  本発明の鳴子２０は、透光性の鳴子本体１にバチ２が当った時の衝撃又は鳴子本体の加速度を検出するセンサー３と、鳴子本体１内に組み込まれたＬＥＤ４と、鳴子本体１に組み込まれ、センサー３の検出信号にてプログラムを起動し、ＬＥＤ４を当該プログラムの決める点灯パターンで点滅制御するマイクロコンピュータ６と、マイクロコンピュータ６及びＬＥＤ４に電力を供給する電池５とを備えていて、センサー３による衝撃あるいは加速度の検出信号をマイクロコンピュータ６で受信して、あらかじめ設定されたプログラムに従ってＬＥＤ４を点滅制御することにより、幻想的なイルミネーション効果が出せる。【選択図】      図１
2005338617.tif 000002
【特許請求の範囲】
【請求項１】
透光性の鳴子本体と、この鳴子本体の少なくとも表面に一端が軸止めされたバチと、前記鳴子本体にバチが当った時の衝撃又は鳴子本体の加速度を検出するセンサーと、前記の鳴子本体内に組み込まれたＬＥＤと、前記鳴子本体に組み込まれ、前記センサーの検出信号にてプログラムを起動し、前記ＬＥＤを当該プログラムに従った点灯パターンで点滅制御するマイクロコンピュータと、前記マイクロコンピュータ及びＬＥＤに電力を供給する電池とを備えたことを特徴とする鳴子。
【請求項２】
前記ＬＥＤは、個別に点滅制御される複数個が配置されていることを特徴とする請求項１に記載の鳴子。
【請求項３】
前記ＬＥＤは、フルカラーＬＥＤであることを特徴とする請求項１又は２に記載の鳴子。
【請求項４】
前記センサーは、圧電素子で構成されていることを特徴とする請求項１〜３のいずれかに記載の鳴子。
【請求項５】
前記センサーは、加速度センサーで構成されていることを特徴とする請求項１〜３のいずれかに記載の鳴子。
【請求項６】
前記マイクロコンピュータは、前記センサーの検出した信号を時系列データとして処理し、その信号パターンに対応して異なった点灯パターンで前記ＬＥＤを点滅制御することを特徴とする請求項１〜５のいずれかに記載の鳴子。
【請求項７】
前記マイクロコンピュータは、前記センサーに新たな入力が無い場合、スリープモードになるようにプログラムされていることを特徴とする請求項１〜６のいずれかに記載の鳴子。
【請求項８】
前記マイクロコンピュータは、プログラムの書き換えが可能なものであることを特徴とする請求項１〜７のいずれかに記載の鳴子。
【請求項９】
前記電池は、前記鳴子本体内の広面積平面に対して垂直な状態に設置したことを特徴とする請求項１〜８のいずれかに記載の鳴子。
【請求項１０】
透光性で、適所に蛍光塗料が塗布された鳴子本体と、この鳴子本体の少なくとも表面に一端が軸止めされたバチと、前記鳴子本体に組み込まれ、当該鳴子本体とバチとの衝突又は鳴子本体の加速度を検出するセンサーと、前記鳴子本体に組み込まれたブラックライトと、前記鳴子本体に組み込まれ前記ブラックライトの点滅を制御するマイクロコンピュータと、前記マイクロコンピュータとブラックライトに電力を供給する電池とを備えたことを特徴とする鳴子。
【発明の詳細な説明】
【技術分野】
【０００１】
本発明は、イルミネーションに特徴を有する鳴子に関する。
【背景技術】
【０００２】
イルミネーション機能を有する光る鳴子として、鳴子の振動を検出することでスイッチをＯＮにし、一定時間ＬＥＤを点滅させてからＯＦＦにするというものが知られている。しかし、この光る鳴子の場合、鳴子本体は透明体ではなく、その適所にＬＥＤを埋め込んだ形態のものであり、またＬＥＤの光り方を変化させることはできず、一度スイッチがＯＮになると、ＯＦＦになるまで同じ点灯パターンを繰り返すものであった。
【発明の開示】
【発明が解決しようとする課題】
【０００３】
本発明では、上記の問題点に鑑みてなされたものであり、鳴子本体を透光性のものとすることで、その中に組み込まれたＬＥＤの発光によって、きわめて幻想的なイルミネーション効果が提示できる鳴子を提供することを目的とする。
【課題を解決するための手段】
【０００４】
請求項１の鳴子は、透光性の鳴子本体と、この鳴子本体の少なくとも表面に一端が軸止めされたバチと、前記鳴子本体にバチが当った時の衝撃又は鳴子本体の加速度を検出するセンサーと、前記の鳴子本体内に組み込まれたＬＥＤと、前記鳴子本体に組み込まれ、前記センサーの検出信号にてプログラムを起動し、前記ＬＥＤを当該プログラムに従った点灯パターンで点滅制御するマイクロコンピュータと、前記マイクロコンピュータ及びＬＥＤに電力を供給する電池とを備えたことを特徴とするものである。
【０００５】
請求項２の発明は、請求項１に記載の鳴子において、前記ＬＥＤは、個別に点滅制御される複数個が配置されていることを特徴とするものである。
【０００６】
請求項３の発明は、請求項１又は２の鳴子において、前記ＬＥＤは、フルカラーＬＥＤであることを特徴とするものである。
【０００７】
請求項４の発明は、請求項１〜３の鳴子において、前記センサーは、圧電素子で構成されていることを特徴とするものである。
【０００８】
請求項５の発明は、請求項１〜３の鳴子において、前記センサーは、加速度センサーで構成されていることを特徴とするものである。
【０００９】
請求項６の発明は、請求項１〜５の鳴子において、前記マイクロコンピュータは、前記センサーの検出した信号を時系列データとして処理し、その信号パターンに対応して異なった点灯パターンで前記ＬＥＤを点滅制御することを特徴とするものである。
【００１０】
請求項７の発明は、請求項１〜６のいずれかに記載の鳴子において、前記マイクロコンピュータは、前記センサーに新たな入力が無い場合、スリープモードになるようにプログラムされていることを特徴とするものである。
【００１１】
請求項８の発明は、請求項１〜７のいずれかに記載の鳴子において、前記マイクロコンピュータは、プログラムの書き換えが可能なものであることを特徴とするものである。
【００１２】
請求項９の発明は、請求項１〜８のいずれかに記載の鳴子において、前記電池は、前記鳴子本体内の広面積平面に対して垂直な状態に設置したことを特徴とするものである。
【００１３】
請求項１０の発明の鳴子は、透光性で、適所に蛍光塗料が塗布された鳴子本体と、この鳴子本体の少なくとも表面に一端が軸止めされたバチと、前記鳴子本体に組み込まれ、当該鳴子本体とバチとの衝突又は鳴子本体の加速度を検出するセンサーと、前記鳴子本体に組み込まれたブラックライトと、前記鳴子本体に組み込まれ前記ブラックライトの点滅を制御するマイクロコンピュータと、前記マイクロコンピュータとブラックライトに電力を供給する電池とを備えたことを特徴とするものである。
【発明の効果】
【００１４】
本発明によれば、鳴子本体が透光性であるためにＬＥＤの発光によって鳴子本体に幻想的なイルミネーション効果を与えることができる。
【００１５】
また本発明によれば、マイクロコンピュータに組み込むプログラムにより鳴子の振り方に応じて複数の点灯パターンを変化させながらＬＥＤを発光させるようにすることができ、これによって、イルミネーション効果をいっそう高めることができる。
【００１６】
さらに本発明によれば、フルカラーＬＥＤを使用することによって様々な色に発光することが可能であり、透光性の鳴子本体の導光機能と相まっていっそう幻想的なイルミネーション効果を醸し出せるようになる。
【発明を実施するための最良の形態】
【００１７】
以下、本発明の実施の形態を図に基づいて詳説する。
【００１８】
（第１の実施の形態）図１〜図４は本発明の第１の実施の形態の鳴子２０を示している。透明アクリル樹脂のような透光性の鳴子本体１に透光性の複数、例えば３本のバチ２が軸１０にて可動するように取り付けられており、鳴子本体１の手元を手で振ることにより、バチ２が鳴子本体１に衝突して音が出る構造となっている。鳴子本体１の中央内部に部品収容孔１１が形成してある。この部品収容孔１１にはセンサー３、フルカラーＬＥＤ４、そしてマイクロコンピュータ６、ＬＥＤドライバ７、クロック発信器８を搭載した回路基板９、さらに電源となる電池５が設置されている。ここでＬＥＤ４をフルカラーＬＥＤとすることで、鳴子本体１が透光性であるのでＬＥＤ４の多色光が鳴子本体１の全体に広がって幻想的なイルミネーションを見せることができる。
【００１９】
図５には、鳴子本体に対する電池５の入れ方を示している。図５で示すように、電池５はフルカラーＬＥＤ４の光りを遮るのを最小限に抑えるため、鳴子本体１の広面積平面に垂直な姿勢で挿入するようにしてある。
【００２０】
図６は本実施の形態の鳴子２０に組み込まれる電子回路のブロック図である。センサー３はバチ２と鳴子本体１の衝突の衝撃を検出して、マイクロコンピュータ６へ電気信号を送る。この電気信号を受けるとマイクロコンピュータ６は内部のフラッシュメモリに登録されているプログラムの実行をリセットしてリスタートし、そのプログラムに従って所定のパターンの微弱な電気信号をＬＥＤドライバ７に送る。ＬＥＤドライバ７はマイクロコンピュータ６からの所定のパターンの微弱な電気信号を増幅した信号をフルカラーＬＥＤ４に送り、これによって各フルカラーＬＥＤ４を所定の点灯パターンで点滅させる。
【００２１】
センサー３としては圧電素子又は加速度センサーを用いることができる。圧電素子の場合、鳴子本体１とバチ２の衝突の衝撃を検出して起電し、この信号をマイクロコンピュータ６に入力する。加速度センサーの場合は、鳴子２０を振ることにより発生する加速度を検出する。このセンサー３は衝撃や加速度を検出することができればよいので、本実施の形態ではバチ２の直下に設置しているが、衝撃や加速度を検出できるところならば設置箇所は限定されない。
【００２２】
各電子回路部品に対する電力は電池５によって供給されるため、長時間にわたって点滅を繰り返すと、電池５の減りが早くなってしまう。本実施の形態では、一度センサー３で衝撃を検出してから新たにセンサー３が検出信号を出力しなかった場合には消費電力を抑えるため、一定時間経つとスリープモード（電源ＯＦＦ）に戻るようにプログラムしている。
【００２３】
次に、マイクロコンピュータ６が複数個のフルカラーＬＥＤ４を制御する仕組みについて説明する。図７はマイクロコンピュータ６がＬＥＤドライバ７を介してフルカラーＬＥＤ４の点滅を制御する回路図である。フルカラーＬＥＤ４は１つのパッケージの中に赤、青、緑の３色のＬＥＤが入っている構成である。よって、１つのフルカラーＬＥＤ４の点滅を制御するためにはマイクロコンピュータ６の出力を３本使う必要がある。本実施の形態では、図７に示すように３つのフルカラーＬＥＤ４に別々の発光動作をさせるために、マイクロコンピュータ６の出力を９つ使用している。このように、すべてのＬＥＤをマイクロコンピュータ６の別々の出力ポートと接続することによって各色のＬＥＤを個別に制御できるので、様々な点灯パターンで各ＬＥＤを点滅させることができる。ここでは３個のフルカラーＬＥＤ４、合計９個の各色のＬＥＤを個別にドライブする構成にしてある。また、各ＬＥＤの明るさの制御には、ＰＷＭ（パルス幅制御）を使用している。
【００２４】
マイクロコンピュータ６は内部のプログラムを電気的に変更可能なフラッシュメモリ内蔵のＥＥＰＲＯＭを使用しており、外部からプログラムを書き換えることができる。このことにより鳴子２０に設置されている複数のフルカラーＬＥＤ４の点灯パターンを自由に変更できる。
【００２５】
クロック発振器８は、マイクロコンピュータ６にその機能を内蔵したものを採用する場合には省略できる。例えばＰＩＣ１６Ｆ６２８Ａ（商品名）のようなマイクロコンピュータを使用する場合は、クロック発振器を省略することが可能である。また、マイクロコンピュータ６の出力に十分大きな電流を流すことが可能であれば省略することが可能である。
【００２６】
次に、上述の鳴子２０の動作について説明する。ユーザーが鳴子２０を手に持って振ってバチ２を鳴子本体１に当てて音を出す操作をすると、センサー３がバチ２の衝突の衝撃を検出する。それに対応してマイクロコンピュータ６がＯＮとなり、まずプログラムの実行をリセットしてからリスタートし、あらかじめ組み込まれているプログラムにしたがってフルカラーＬＥＤ４を設定された点灯パターンで点滅制御する。これによって、例えば多人数が同じ鳴子２０を持って同じフリで踊る場合、一斉に動き出せば全ての鳴子２０が一斉に同じイルミネーションで光ることになる。他方、幾人かずつ時間差をもたせて踊る場合には、その時間差をもって順次点滅することになる。こうして、鳴子本体１が透光性であるため、フルカラーＬＥＤの発光色が鳴子本体１の全面に広がって光るように見せることができ、幻想的なイルミネーション効果が得られる。
【００２７】
（第２の実施の形態）第２の実施の形態は、センサー３で検出した衝撃パターンに対応して、点灯パターンを変化させる鳴子を特徴とする。機械的な構造は図１〜図４に示した第１の実施の形態と同様である。
【００２８】
図８はセンサー３で検出した衝撃パターンに対応してフルカラーＬＥＤ４の点灯パターンを変化させる機能を有する電子回路部分のブロック図である。センサー３は衝撃を検出して検出信号を出力する。マイクロコンピュータ６はこの検出信号を時系列データとして処理し、その時系列データから衝撃パターンを特定し、それに対応して点灯パターンを選択して出力する。このマイクロコンピュータ６は、参照のための衝撃パターンデータベース６１と点灯パターンデータベース６２とを有し、また衝撃パターン比較部６３と点灯パターン比較部６４を有している。
【００２９】
衝撃パターン比較部６３は上述のセンター３からの検出信号による衝撃の時系列データをデータベース６１上の衝撃パターンと比較する（図９のフローチャートにおけるステップＳ１，Ｓ３）。ここで一致した衝撃パターンを決定し、続いて、点灯パターン比較部６４が決定された衝撃パターンに対応する点灯パターンを点灯パターンデータベース６２から選択して出力する（ステップ５）。
【００３０】
これにより、第２の実施の形態では、その叩き方や振り方に対応して多様な点灯パターンで鳴子２０を光らせることができる。なお、衝撃の回数により点灯パターンを変化させるプログラムを採用することも可能であり、その場合には環境変数を利用する。
【００３１】
なお、上記第１、第２の実施の形態ではＬＥＤとしてフルカラーＬＥＤを採用したが、これに限らず、複数個の単色光のＬＥＤを適宜に配置して個別に点滅制御する構成にすることもできる。また低コスト化を図るためには、単数、単色のＬＥＤを採用することもできる。
【００３２】
（第３の実施の形態）図１０は本発明の第３の実施の形態の鳴子３０の正面図である。この実施の形態の鳴子３０は、第１の実施の形態と同じ透明な透光性材料で、かつ適所に多色の蛍光塗料１４が塗布された鳴子本体１に透光性のバチ２が可動するように取り付けられていて、鳴子３０を手で振ることによりバチ２が鳴子本体１に衝突し音が出る構造となっている。
【００３３】
鳴子本体１の中央内部の収容孔１１には、第１の実施の形態と同様にセンサー３、マイクロコンピュータ６が組み込まれ、またフルカラーＬＥＤ４に代えてブラックライト１５が組み込まれ、また電池５が設置されている。ここでブラックライト１５が発光すれば、鳴子本体１が透明な透光性材料でできているのでブラックライト１５からの紫外線が鳴子本体１の全体に広がって蛍光塗料１４に当たり、それを発光させる。
【００３４】
本実施の形態では、ブラックライト１５は、上、下、横側に発光するように取り付けられており、蛍光塗料１４に紫外線が当たることにより多色に光る。センサー３は衝撃を検出して起電し、マイクロコンピュータ６に電気信号を送る。マイクロコンピュータ６は電気信号を受信するとあらかじめ入力されているプログラムに従って各ブラックライト１５の発光を個別に制御する。これにより、本実施の形態の鳴子では、鳴子本体１の適所に塗布された各色の蛍光塗料１４が多色に光る蛍光鳴子３０を提供できる。
【００３５】
なお、システムをシンプルにするためにブラックライトの数は単数であってもよい。
【図面の簡単な説明】
【００３６】
【図１】本発明の第１の実施の形態の鳴子の正面図。
【図２】本発明の第１の実施の形態の鳴子の側面図。
【図３】本発明の第１の実施の形態の鳴子の斜視図。
【図４】本発明の第１の実施の形態の鳴子の鳴子本体とバチの衝突部分の断面図。
【図５】本発明の第１の実施の形態の鳴子に電池を設置する時の説明図。
【図６】本発明の第１の実施の形態の鳴子の構成を示すブロック図。
【図７】本発明の第１の実施の形態のマイクロコンピュータがＬＥＤドライバを介してフルカラーＬＥＤの点滅を制御する回路図。
【図８】本発明の第２の実施の形態において採用するＬＥＤ点灯制御用電子回路のブロック図。
【図９】本発明の第２の実施の形態においてマイクロコンピュータがセンサーの検出した衝撃パターンに対応してフルカラーＬＥＤの点灯パターンを変化させる処理のフローチャート。
【図１０】本発明の第３の実施の形態の鳴子の正面図。
【符号の説明】
【００３７】
１  鳴子本体
２  バチ
３  センサー
４  フルカラーＬＥＤ
５  電池
６  マイクロコンピュータ
７  ＬＥＤドライバ
８  クロック発振器
９  回路基板
１０  軸
１１  部品収容孔
１４  蛍光塗料
１５  ブラックライト
２０，３０  鳴子
６１  衝撃パターンデータベース
６２  点灯パターンデータベース
６３  衝撃パターン比較部
６４  点灯パターン比較部
【図１】
2005338617.tif 000003
【図２】
2005338617.tif 000004
【図３】
2005338617.tif 000005
【図４】
2005338617.tif 000006
【図５】
2005338617.tif 000007
【図６】
2005338617.tif 000008
【図７】
2005338617.tif 000009
【図８】
2005338617.tif 000010
【図９】
2005338617.tif 000011
【図１０】
2005338617.tif 000012